(57)【要約】【課題】ディスクドライブ装置の薄型化を図る。【解決手段】ディスクを保持し筐体２の内外部に移動可能なトレイ３が筐体２の外部に存在する状態において、ディスクに対して再生及び／又は記録動作を行う光ピックアップ１１を搭載した光ピックアップ支持部材１０が、トレイ３と連動してシャーシ４を所定の方向に揺動させる揺動軸１５と近接した待機位置に配置される。【選択図】図１
2006236471.tif 000002
【特許請求の範囲】
【請求項１】
記録媒体を保持し、筐体の内外部に移動可能な載置部材と、
前記記録媒体に対して再生及び／又は記録動作を行う光ピックアップ、当該光ピックアップを搭載した光ピックアップ支持部材及び当該光ピックアップ支持部材を所定の方向に案内する一又は複数のガイド部材を備える支持枠と、
前記支持枠に設けられ、前記載置部材の移動と連動して、当該支持枠を所定の方向に揺動させる揺動手段とを具備し、
前記光ピックアップ支持部材は、前記載置部材が前記筐体の外部に存在する状態においては、前記ガイド部材における前記揺動手段の揺動中心と近接した待機位置に配置されることを特徴とするディスクドライブ装置。
【請求項２】
前記待機位置は、前記ガイド部材における前記揺動手段の揺動中心と最近傍の位置であることを特徴とする請求項１に記載のディスクドライブ装置。
【請求項３】
前記揺動手段は、前記筐体及び支持枠に配設された揺動軸と、軸受部とからなる軸機構であることを特徴とする請求項１又は請求項２に記載のディスクドライブ装置。
【請求項４】
前記揺動手段は、前記支持枠の揺動動作と連動して、前記光ピックアップ支持部材の位置を変位させる駆動機構を具備することを特徴とする請求項１から請求項３のいずれか一項に記載のディスクドライブ装置。
【発明の詳細な説明】
【技術分野】
【０００１】
本発明は、ディスクドライブ装置に係り、特に、記録媒体が保持されたトレイの移動動作と連動して揺動するトラバースメカを具備するディスクドライブ装置に関する。
【背景技術】
【０００２】
従来、円盤状の記録媒体（以下、ディスク）に対して信号の記録動作及び再生動作の少なくとも１つの動作を行う装置として、ディスクドライブ装置が知られている。ディスクドライブ装置は、ディスクに記録された情報の読み取り等のために、搭載された光ピックアップを所定の方向及び範囲で移動可能に支持する光ピックアップ支持部と、モータ及びターンテーブルを具備するディスク駆動装置等が設けられた再生部とによって構成されており、ディスクを保持した状態のターンテーブルをモータによって回転させ、光ピックアップ支持部に搭載された光ピックアップがディスクに対して信号の記録及び再生動作、または記録若しくは再生動作を行うようになっている。
【０００３】
このようなディスクドライブ装置の内部における所定の位置に、ディスクを搬送する代表的な挿入方法としては、装置の一面と直交する方向に移動可能な載置部材（以下、トレイ）の所定の位置にディスクを載置して、トレイとともにディスクドライブ装置の内部にディスクを挿入するトレイ方式や、ディスクを直接ディスクドライブ装置の内部に挿入するスロットイン方式等が挙げられる。
これら挿入方式は、使用目的等に応じて適宜選択されるが、スロットイン方式を採用するディスクドライブ装置の場合、ディスクが損傷等を受け易く、原則として、８ｃｍのディスクが使用不可能となるため、製造コストが安価であり、操作性に優れたトレイ方式が採用されたディスクドライブ装置が広く普及している。
【０００４】
しかし、トレイ方式が採用された従来のディスクドライブ装置の場合、ターンテーブルが筐体に固定されており、トレイに載置されたディスクを、読取位置に、すなわち、ターンテーブルの上面における所定の位置に配置するために、ディスクをターンテーブルの回転面と平行な方向及び直交する方向の計２方向に移動させ搬送するディスク搬送機構を設ける必要が生じている。そのため、ディスクドライブ装置の内部構造が複雑になるとともに、製造コストが増大するといった問題が生じていた。
【０００５】
そこで、内部構造の簡素化を図ることが可能なディスクドライブ装置として、図４に示すように、ディスクが載置されたトレイ１００の筐体１０１に対する挿入又は排出動作に応じて、ギア１０２及び噛合部１０３からなる駆動機構１０４が連動することにより、光ピックアップ１０５が搭載された光ピックアップ支持部材１０６と、モータ１０７と接続されたターンテーブル１０８とが配設された揺動部材１０９が、揺動軸１１０を中心として筐体１０１の上面方向Ａに揺動し、トレイ１００に載置されたディスクをクランプするフロントローディングプレーヤー１１１が開発されている（例えば、特許文献１参照）。
【０００６】
また、トレイ方式が採用されたディスクドライブ装置においては、ディスクのクランプ動作中にフォトセンサからなる検出部によってディスクの種類を検出し、その検出結果に基づいて光ピックアップをディスクの種類に対応した位置に移動させるように構成されていた。しかし、フォトセンサによってディスクの種類を検出する場合、外乱光等によってディスクの種類を間違えるといった問題も生じていた。
【０００７】
そこで、ディスクの種類を正確に検出することが可能なディスクドライブ装置として、ディスクの着脱動作を行う着脱位置と、ディスクの再生動作を行う再生位置との間を変位可能なトレイが、再生位置に移動してディスクがクランプされたときに、光ピックアップに伴って移動するチルトセンサにより、ディスクの有無を検出するディスクプレーヤーのディスク検出装置が開発されている（例えば、特許文献２参照）。
【特許文献１】実開平６−８９６５４号公報
【特許文献２】特許第２６４００６４号明細書
【発明の開示】
【発明が解決しようとする課題】
【０００８】
しかしながら、近年ターンテーブルを回転させるモータ１０７の小型化が進んでおり、モータ１０７の厚さ寸法Ｔ1は、光ピックアップ１０５と光ピックアップ支持部材１０６との合計の厚さ寸法Ｔ2よりも小さくなっているため、上述した特許文献１に記載の発明をそのまま適用した場合、図４に示すように、光ピックアップ１０５と光ピックアップ支持部材１０６との合計の厚さ寸法Ｔ2に基づいて、揺動部材の厚さ寸法Ｔ3が規定される。また、トレイ１００を筐体１０１の内部に挿入するためには、揺動部材１０９を所定の範囲にわたって揺動させる必要があり、筐体１０１の内部に揺動部材１０９が揺動可能な空間を確保しなければならない。
このため、揺動部材１０９の厚さ寸法Ｔ3が大きい場合には、筐体１０１の内部における空間の高さ寸法Ｈを大きくする必要があり、ディスクドライブ装置の薄型化を図ることが困難となるといった問題が生じている。
【０００９】
また、ディスクドライブ装置における光ピックアップ支持部材１０６は、通常、特許文献２に記載されているように、トレイ１００が筐体１０１の外部に排出された状態においては、ターンテーブル１０８と近接した位置に配置されるようになっている。
このように光ピックアップ支持部材１０６がターンテーブル１０８の近傍に位置していると、上述した揺動部材１０９に代えて、図５に示すようなターンテーブル１０８及び光ピックアップ支持部材１０６がシャーシ１１２と一体となったトラバースメカ１１３を用いた場合であっても、光ピックアップ１０５と光ピックアップ支持部材１０６との合計の厚さ寸法Ｔ2が大きいことにより、光ピックアップ支持部材１０６の一端がシャーシ１１２の下面側から大きく突出してしまう。
このため、トラバースメカ１１３を揺動させるためには、筐体１０１の内部における空間の高さ寸法Ｈを大きくする必要があり、ディスクドライブ装置の薄型化を図ることが困難となるといった問題が生じている。
【００１０】
本発明は前記した点に鑑みてなされたものであり、ディスクドライブ装置の薄型化を図ることが可能なディスクドライブ装置を提供することを目的とする。
【課題を解決するための手段】
【００１１】
以上の課題を解決するために、請求項１に記載の発明に係るディスクドライブ装置は、
記録媒体を保持し、筐体の内外部に移動可能な載置部材と、
前記記録媒体に対して再生及び／又は記録動作を行う光ピックアップ、当該光ピックアップを搭載した光ピックアップ支持部材及び当該光ピックアップ支持部材を所定の方向に案内する一又は複数のガイド部材を備える支持枠と、
前記支持枠に設けられ、前記載置部材の移動と連動して、当該支持枠を所定の方向に揺動させる揺動手段とを具備し、
前記光ピックアップ支持部材が、前記載置部材が前記筐体の外部に存在する状態においては、前記ガイド部材における前記揺動手段の揺動中心と近接した待機位置に配置されることを特徴とする。
【００１２】
請求項２に記載の発明に係るディスクドライブ装置は、前記待機位置が、前記ガイド部材における前記揺動手段の揺動中心と最近傍の位置であることを特徴とする。
【００１３】
請求項３に記載の発明に係るディスクドライブ装置は、前記揺動手段が、前記筐体及び支持枠に配設された揺動軸と、軸受部とからなる軸機構であることを特徴とする。
【００１４】
請求項４に記載の発明に係るディスクドライブ装置は、前記揺動手段が、前記支持枠の揺動動作と連動して、前記光ピックアップ支持部材の位置を変位させる駆動機構を具備することを特徴とする。
【発明の効果】
【００１５】
本発明によれば、記録媒体を保持し、筐体の内外部に移動可能な載置部材と、記録媒体に対して再生及び／又は記録動作を行う光ピックアップ、光ピックアップを搭載した光ピックアップ支持部材及び光ピックアップ支持部材を所定の方向に案内する一又は複数のガイド部材を備える支持枠と、支持枠に設けられ、載置部材の移動と連動して、支持枠を所定の方向に揺動させる揺動手段とを具備し、光ピックアップ支持部材が、載置部材が筐体の外部に存在する状態においては、ガイド部材における揺動手段の揺動中心と近接した待機位置、すなわち揺動手段における揺動中心と最近傍の位置に配置されるので、支持枠の一面から光ピックアップ部材が突出した場合であっても、載置部材の挿入及び排出動作に伴う支持枠の揺動範囲を縮小することで、筐体の内部における空間の高さ寸法を小さくすることが可能となり、これによって、ディスクドライブ装置本体の薄型化を図ることができる。
【発明を実施するための最良の形態】
【００１６】
以下、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
図１から図３を参照しながら、本発明に係るディスクドライブ装置について説明する。
図１及び図２に示すように、本実施形態におけるディスクドライブ装置１には、略直方体状の筐体２が具備されており、この筐体２の長手方向の一面には、開口部（図示せず）が形成されている。この開口部には、図２に示すように、ディスク（図示せず）が載置される略円形状の凹部（図示せず）が凹設された略正方形状のトレイ３が設けられている。
【００１７】
トレイ３は、使用者が操作部（図示せず）の操作により、筐体２の長手方向に移動するようになっており、開口部を介して筐体２の内部に挿入されるようになっている。また、トレイ３の縁周部であって、移動方向と直交する一端側には、筐体２の開口部と合致する寸法に成型された平板状の閉塞板（図示せず）が設けられており、トレイ３の挿入動作の完了とともに、開口部を閉塞するようになっている。
【００１８】
筐体２の内部には、図３に示すような略長方形状のシャーシ４を具備するトラバースメカ５が設けられている。シャーシ４の長手方向の一端側には、図１及び図２に示すように、スピンドルモータ６と接続された略円形状のターンテーブル７が設けられている。また、ターンテーブル７と同一面上には、図３に示すように、レール状に延在する長尺な副ガイド部材８と、略円柱形状の主ガイド部材９とが、互いに平行となるように離間して配設されている。
【００１９】
これら副ガイド部材８と、主ガイド部材９との間には、光ピックアップ支持部材１０が設けられており、この光ピックアップ支持部材１０の一面には、ターンテーブル７に保持されながら回転しているディスク（図示せず）に対して信号の記録動作や、再生動作を行う光ピックアップ１１が設けられている。
【００２０】
光ピックアップ支持部材１０における副ガイド部材８と対向する側面には、副ガイド部材８に係合される断面形状凹状の副ガイド部材受部１２が、光ピックアップ支持部材１０における主ガイド部材９と対向する側面には、主ガイド部材９が挿通される挿通孔（図示せず）が形成された主ガイド部材受部１３がそれぞれ設けられ、ピックアップ支持部材１０は、副ガイド部材受部１２が副ガイド部材８に係合されると共に、主ガイド部材受部１３の挿通孔に主ガイド部材９が挿通された状態で、副ガイド部材８及び主ガイド部材９に案内されながらガイド方向Ｘに沿って移動可能となっている。
【００２１】
また、上述した光ピックアップ支持部材１０は、トレイ３が筐体２の外部に排出された状態においては、副ガイド部材８及び主ガイド部材９における揺動軸１５と近接した位置、すなわち揺動中心である揺動軸１５と最近傍の位置に配置されるようになっている。
【００２２】
なお、本実施形態における光ピックアップ支持部材１０は、トレイ３が筐体２の外部に排出された状態においては、副ガイド部材８及び主ガイド部材９における揺動軸１５と最近傍の位置に配置されるようになっているが、トラバースメカ５が揺動する際に、光ピックアップ支持部材１０における光ピックアップ１１が搭載された一面と反対側の面が、筐体２の下面と当接しなければ、特に限定されるものではなく、例えば、副ガイド部材８及び主ガイド部材９における中間位置で待機するようになっていてもよい。
【００２３】
また、シャーシ４の長手方向の一端部であって、ガイド方向Ｘと直交する方向の両側には、図１及び図２に示すように、揺動手段の１つである軸受部１４が設けられている。軸受部１４には、筐体２に設けられた揺動軸１５が軸通されており、この揺動軸１５により、トラバースメカ５は揺動可能となるように軸支されている。
【００２４】
なお、本実施形態における軸受部１４及び揺動軸１５は、シャーシ４と、筐体２とにそれぞれ配設されているが、配設される部材については、特に限定されるものではなく、例えば、シャーシ４に揺動軸１５が設けられ、筐体２に軸受部１４が設けられていてもよい。
【００２５】
このようなトラバースメカ５には、ディスクが載置されるトレイ３の動作と連動してトラバースメカ５を揺動させると同時に、トラバースメカ５のシャーシ４に具備された光ピックアップ支持部材１０を、ガイド方向Ｘに沿って移動させる駆動機構（図示せず）が具備されている。
【００２６】
なお、上述した駆動機構は、トレイ３の動作と連動してトラバースメカ５を揺動させるとともに、光ピックアップ支持部材１０の位置を変位させることが可能であれば、特に限定されるものではなく、例えば、ギア及び噛合部材を用いて機械的に駆動させるものや、センサ及び制御回路を用いて電気的に駆動させるものであってもよい。
【００２７】
また、本実施形態におけるディスクドライブ装置１には、トレイ３にディスクを載置した後に、トレイ３とともに筐体２の内部に挿入するトレイ方式が採用されているが、挿入方式は特に限定されるものではなく、例えば、スロットイン方式等の他の挿入方式が採用されていてもよい。
【００２８】
次に、本実施形態におけるディスクドライブ装置１の作用について説明する。
ディスクに記録された情報を読み取る際は、筐体２の外部に排出された状態のトレイ３の凹部に、ディスクを載置し、図示しない操作部を操作することにより、トレイ３が筐体２の内部に挿入される。この際、トレイ３の挿入動作に伴って駆動機構が連動することにより、図１に示すように、トラバースメカ５が、筐体２の下面に向かって傾倒した状態から、筐体２の上面に向かって、すなわち、揺動軸１５を中心とする時計回りの方向Ｒ1に揺動される。
このような揺動動作と同時に、ガイド部材８，９における揺動軸１５と最近傍の位置に配置された光ピックアップ１１及び光ピックアップ支持部材１０が、ガイド方向Ｘに沿ってターンテーブル７が配設された側に移動される。
その後、挿入されたトレイ３の上面と、トラバースメカ５の一面とが略平行となった時点で、トラバースメカ５の揺動動作が規制されるとともに、光ピックアップ１１及び光ピックアップ支持部材１０がターンテーブル７と近接する位置に配置される。最終的には、トレイ３に載置されたディスクがクランプされ、光ピックアップ１１によってディスクに記録された情報を読み取られて、一連の動作が完了する。
【００２９】
一方、ディスクを交換する際は、使用者が操作部を操作することにより、ディスクドライブ装置１のトレイ３を筐体２の外部に排出させる。この際、トレイ３の排出動作に伴って駆動機構が連動することにより、図２に示すように、トラバースメカ５が、筐体２の上面及び下面と略平行な状態から、筐体２の下面に向かって、すなわち、揺動軸１５を中心とする反時計回りの方向Ｒ2に揺動される。
また、このような揺動動作と同時に、トラバースメカ５におけるターンテーブル７が配設された側に配置された光ピックアップ１１及び光ピックアップ支持部材１０が、副ガイド部材８及び主ガイド部材９に沿って揺動軸１５が配設された側に移動される。
その後、トラバースメカ５が筐体２の下面に向かって所定の角度まで傾倒した時点で、トラバースメカ５の回動が規制されるとともに、光ピックアップ１１及び光ピックアップ支持部材１０がガイド部材８，９における揺動軸１５と最近傍の位置に配置される。最終的には、ディスクが搭載されたトレイ３が筐体２の外部に排出されて、一連の動作が完了する。
【００３０】
このとき、光ピックアップ支持部材１０が、トレイ３が筐体２の外部に存在する状態においては、ガイド部材８，９における揺動軸１５と近接した待機位置に配置されるので、トラバースメカ５のシャーシ４の一面から光ピックアップ支持部材１０の一端が突出した場合であっても、トレイ３の挿入及び排出動作に伴うシャーシ４の揺動範囲を縮小することで、筐体２の内部における空間の高さ寸法Ｈを小さくすることができる。
【００３１】
また、待機位置が、ガイド部材８，９における揺動手段の揺動中心と最近傍の位置であるので、上述した筐体２の内部における空間の高さ寸法Ｈをより小さくすることができる。
【００３２】
さらに、揺動手段が、筐体２及びシャーシ４に配設された揺動軸１５と、軸受部１４とからなる軸機構であるので、簡易な構成により、シャーシ４を所定の方向に揺動させることができる。
【００３３】
さらに、揺動手段が、シャーシ４の揺動動作と連動して光ピックアップ支持部材１０の位置を変位させる駆動機構を具備するので、シャーシ４の揺動動作と、光ピックアップ支持部材１０の移動動作とを同時に行うことで、ディスクに対する読取動作までにかかる動作時間の短縮を図ることができる。
【００３４】
以上より、本実施形態におけるディスクドライブ装置１によれば、ディスクを保持し、筐体２の内外部に移動可能なトレイ３と、ディスクに対して再生及び／又は記録動作を行う光ピックアップ１１、当該光ピックアップ１１を搭載した光ピックアップ支持部材１０及び当該光ピックアップ支持部材１０を所定の方向に案内するガイド部材８，９を備えるシャーシ４と、トレイ３の移動と連動して、シャーシ４を所定の方向に揺動させる揺動手段とを具備し、光ピックアップ支持部材１０が、トレイ３が筐体２の外部に存在する状態においては、ガイド部材８，９における揺動手段の揺動中心と近接した待機位置に配置されるので、トラバースメカ５のシャーシ４の一面から光ピックアップ部材１０の一端が突出した場合であっても、トレイ３の挿入及び排出動作に伴うシャーシ４の揺動範囲を縮小することで、筐体２の内部における空間の高さ寸法Ｈを小さくすることが可能となり、これによって、ディスクドライブ装置１の薄型化を図ることができる。
【００３５】
また、待機位置が、ガイド部材８，９における揺動手段の揺動中心と最近傍の位置であるので、上述した筐体２の内部における空間の高さ寸法Ｈをより小さくすることが可能となり、これによって、効率よくディスクドライブ装置１の薄型化を図ることができる。
【００３６】
さらに、揺動手段が、筐体２及びシャーシ４に配設された揺動軸１５と、軸受部１４とからなる軸機構であるので、簡易な構成により、シャーシ４を所定の方向に揺動させることが可能となり、これによって、製造コストの抑制をことができる。
【００３７】
さらに、揺動手段が、シャーシ４の揺動動作と連動して光ピックアップ支持部材１０の位置を変位させる駆動機構を具備するので、シャーシ４の揺動動作と、光ピックアップ支持部材１０の移動動作とを同時に行うことで、ディスクに対する読取動作までにかかる動作時間の短縮を図ることが可能となり、これによって、操作性の向上を図ることができる。
【図面の簡単な説明】
【００３８】
【図１】ディスクドライブ装置の内部構成を示す断面図である。
【図２】トレイ排出時におけるディスクドライブ装置の内部の態様を示す断面図である。
【図３】トレイ挿入時におけるディスクドライブ装置の内部の態様を示す断面図である。
【図４】従来技術におけるディスクドライブ装置の内部の態様を示す断面図である。
【図５】従来技術におけるトレイ挿入時のディスクドライブ装置の内部構成を示す断面図である。
【符号の説明】
【００３９】
１  ディスクドライブ装置
２  筐体
３  トレイ
４  シャーシ
５  トラバースメカ
６  スピンドルモータ
７  ターンテーブル
８  副ガイド部材
９  主ガイド部材
１０  光ピックアップ支持部材
１１  光ピックアップ
１４  軸受部
１５  揺動軸
Ｈ  高さ寸法
Ｘ  ガイド方向
Ｒ1，Ｒ2  揺動方向
【図１】
2006236471.tif 000003
【図２】
2006236471.tif 000004
【図３】
2006236471.tif 000005
【図４】
2006236471.tif 000006
【図５】
2006236471.tif 000007